(57)【要約】【課題】より需要者（利用者）のらくがきに対する利便性の向上を図った画像編集装置を提供する。【解決手段】この画像編集装置は、利用者を撮影した撮影画像に、利用者が作成した編集画像が合成された印刷画像を作成する画像編集装置であって、第１選択画像表示領域と第２選択画像表示領域との間に配置され、第１入力手段および第２入力手段のいずれにも用いられる中央ペン描画種類表示領域２０２０と、第１選択画像表示領域と中央ペン描画種類表示領域２０２０との間に配置され、第１入力手段のみに用いられる第１ペン描画種類表示領域２０１０Ｌ，２０１１Ｌ，２０１２Ｌと、第２選択画像表示領域と中央ペン描画種類表示領域２０２０との間に配置され、第２入力手段のみに用いられる第２ペン描画種類表示領域２０１０Ｒ，２０１１Ｒ，２０１２Ｒとを備える。【選択図】図８
2017026691.tif 000002
【特許請求の範囲】
【請求項１】
利用者を撮影した撮影画像に、利用者が作成した編集画像が合成された印刷画像を作成する画像編集装置であって、
第１入力手段および第２入力手段を用いて所定の情報の入力が行なわれる編集画面と、
前記編集画面において、前記利用者を撮影した複数の撮影画像の中から選択された１の撮影画像が表示されるとともに、前記第１入力手段を用いて利用者が編集画像を作成する第１選択画像表示領域と、
前記編集画面において、前記利用者を撮影した複数の撮影画像の中から選択された１の撮影画像が表示されるとともに、前記第２入力手段を用いて利用者が編集画像を作成する第２選択画像表示領域と、
前記第１選択画像表示領域と前記第２選択画像表示領域との間に配置され、前記第１入力手段および前記第２入力手段のいずれにも用いられる中央ペン描画種類表示領域と、
前記第１選択画像表示領域と前記第２選択画像表示領域との間において前記第１選択画像表示領域側に配置され、前記第１入力手段のみに用いられる第１ペン描画種類表示領域と、
前記第１選択画像表示領域と前記第２選択画像表示領域との間において前記第２選択画像表示領域側に配置され、前記第２入力手段のみに用いられる第２ペン描画種類表示領域と、
を備える、画像編集装置。
【請求項２】
前記中央ペン描画種類表示領域は、中央ペン色表示領域であり、
前記第１ペン描画種類表示領域は、第１ペン種表示領域であり、
前記第２ペン描画種類表示領域は、第２ペン種表示領域である、
請求項１に記載の画像編集装置。
【請求項３】
前記第１ペン描画種類表示領域は、前記第１選択画像表示領域と前記中央ペン描画種類表示領域との間に配置され、
前記第２ペン描画種類表示領域は、前記第２選択画像表示領域と前記中央ペン描画種類表示領域との間に配置されている、
請求項２に記載の画像編集装置。
【請求項４】
前記中央ペン色表示領域において、前記第１入力手段により選択されたペン色が、前記第１ペン種表示領域に含まれるペン種の色として表示され、
前記中央ペン色表示領域において、前記第２入力手段により選択されたペン色が、前記第２ペン種表示領域に含まれるペン種の色として表示される、
請求項２または請求項３に記載の画像編集装置。
【請求項５】
前記中央ペン描画種類表示領域は、中央ペン種表示領域であり、
前記第１ペン描画種類表示領域は、第１ペン色表示領域であり、
前記第２ペン描画種類表示領域は、第２ペン色表示領域である、
請求項１に記載の画像編集装置。
【請求項６】
前記第１ペン描画種類表示領域は、前記第１選択画像表示領域と前記中央ペン種表示領域との間に配置され、
前記第２ペン描画種類表示領域は、前記第２選択画像表示領域と前記中央ペン種表示領域との間に配置されている、
請求項５に記載の画像編集装置。
【請求項７】
前記中央ペン種表示領域において、前記第１入力手段により選択されたペン種が、前記第１ペン色表示領域に含まれるペン種として表示され、
前記中央ペン色表示領域において、前記第２入力手段により選択されたペン種が、前記第２ペン色表示領域に含まれるペン種として表示される、
請求項５または請求項６に記載の画像編集装置。
【発明の詳細な説明】
【技術分野】
【０００１】
この発明は、シール自動販売機に用いられる画像編集装置に関する。
【背景技術】
【０００２】
写真撮影ブースにおいて、利用者が自らを含む被写体を撮影し、撮影された写真画像に好みのフレーム、らくがきと称する文字図柄の描画、背景を画像合成し、合成画像をシールプリントとして印刷出力するシール自動販売機（写真撮影ブース付きプリント自動販売機）が知られている。
【０００３】
このような、シール自動販売機は、写真画像にらくがきを行なうための画像編集装置を備えており、特開２００３−２３１３２１号公報（特許文献１）、特開２００５−２１０２７２号公報（特許文献２）、特開２００９−１３４０３６号公報（特許文献３）、特開２０１１−２３２６３０号公報（特許文献４）、特開２０１２−１４１４３９号公報（特許文献５）、特開２０１３−１３７４７７号公報（特許文献６）、および、特許第５５４９７６２号公報（特許文献７）に画像編集装置が開示されている。
【０００４】
上記各文献に開示される画像編集装置においては、写真画像を用いて印刷用画像を作成するために、モニタ画面上の写真画像に、文字、絵等を描画するペンツール表示領域や、文字、図形等を表した個々のスタンプ画像を選択して写真画像上の所望の位置に配置するスタンプツール等、らくがきに際して様々な機能が用意されている。特に、写真画像に、文字、絵等を描画するペンツール表示領域は利用者に人気があり、らくがきに欠かせないツールとなっている。
【０００５】
より具体的には、例えば特許文献５の図１２に示されるように、「ペン」、「スタンプコロコロ」、「いろいろ」等のツールを選択するためのボタンが配置されている。いずれかのツールを選択すると、そのツールに対応したコンテンツパレットが表示される。コンテンツパレットは、「ショッキングカラー」、「パッピーファイン」、・・・「レディブラック」等テイストにより区分され、そのテイスト名が記載されたタブを切り替えることにより、その「ツール」内の選択した「テイスト」のコンテンツが表示され、編集で利用できるようになっている。
【先行技術文献】
【特許文献】
【０００６】
【特許文献１】特開２００３−２３１３２１号公報
【特許文献２】特開２００５−２１０２７２号公報
【特許文献３】特開２００９−１３４０３６号公報
【特許文献４】特開２０１１−２３２６３０号公報
【特許文献５】特開２０１２−１４１４３９号公報
【特許文献６】特開２０１３−１３７４７７号公報
【特許文献７】特許第５５４９７６２号公報
【発明の概要】
【発明が解決しようとする課題】
【０００７】
上記画像編集装置において、モニタ画面上に表示された写真画像に対して、二人の利用者がそれぞれ好みのらくがきを行なう場合がある。このような場合には、モニタ画面上に二人の利用者がそれぞれ選択した画像が左右に表示され、それぞれの画像に対して、各利用者が個々のらくがきを行なう。
【０００８】
その際、モニタ画面には、ペンツール表示領域、スタンプツール等のらくがきを行なうための同じツール（アイコン）が、左右にそれぞれ配置されることとなる。その結果、モニタ画面の大きさには制限があることから、デザイン的に煩雑に配置されている印象を利用者に与えることになる。また、各ツール内の機能を選択する場合にも表示が小さくなり、所望のツールに到達するまでに時間を要する不具合も考えられる。
【０００９】
また、上述の特許文献５のような従来のパレットの表示方法では、「スタンプ」と「ペン」を同時に表示することができず、これらを見比べながら編集ツールを選択することができなかった。
【００１０】
したがって、本発明の目的は、より需要者（利用者）のらくがきに対する利便性の向上を図った画像編集装置を提供することにある。
【課題を解決するための手段】
【００１１】
この発明に基づいた画像編集装置においては、利用者を撮影した撮影画像に、利用者が作成した編集画像が合成された印刷画像を作成する画像編集装置であって、第１入力手段および第２入力手段を用いて所定の情報の入力が行なわれる編集画面と、上記編集画面において、上記利用者を撮影した複数の撮影画像の中から選択された１の撮影画像が表示されるとともに、上記第１入力手段を用いて利用者が編集画像を作成する第１選択画像表示領域と、上記編集画面において、上記利用者を撮影した複数の撮影画像の中から選択された１の撮影画像が表示されるとともに、上記第２入力手段を用いて利用者が編集画像を作成する第２選択画像表示領域と、上記第１選択画像表示領域と上記第２選択画像表示領域との間に配置され、上記第１入力手段および上記第２入力手段のいずれにも用いられ、編集画像作成時において、上記第１入力手段および上記第２入力手段により選択される複数のペン色の種類を表示する中央ペン色表示領域と、上記第１選択画像表示領域と上記第２選択画像表示領域との間において上記第１選択画像表示領域側に配置され、上記第１入力手段のみに用いられる第１ペン描画種類表示領域と、上記第１選択画像表示領域と上記第２選択画像表示領域との間において上記第２選択画像表示領域側に配置され、上記第２入力手段のみに用いられる第２ペン描画種類表示領域とを備える。
【００１２】
他の形態では、上記中央ペン描画種類表示領域は、中央ペン色表示領域であり、上記第１ペン描画種類表示領域は、第１ペン種表示領域であり、上記第２ペン描画種類表示領域は、第２ペン種表示領域である。
【００１３】
他の形態では、上記第１ペン描画種類表示領域は、上記第１選択画像表示領域と上記中央ペン描画種類表示領域との間に配置され、上記第２ペン描画種類表示領域は、上記第２選択画像表示領域と上記中央ペン描画種類表示領域との間に配置されている。
【００１４】
他の形態では、上記中央ペン色表示領域において、上記第１入力手段により選択されたペン色が、上記第１ペン種表示領域に含まれるペン種の色として表示され、上記中央ペン色表示領域において、上記第２入力手段により選択されたペン色が、上記第２ペン種表示領域に含まれるペン種の色として表示される。
【００１５】
他の形態では、上記中央ペン描画種類表示領域は、中央ペン種表示領域であり、上記第１ペン描画種類表示領域は、第１ペン色表示領域であり、上記第２ペン描画種類表示領域は、第２ペン色表示領域である。
【００１６】
他の形態では、上記第１ペン描画種類表示領域は、上記第１選択画像表示領域と上記中央ペン種表示領域との間に配置され、上記第２ペン描画種類表示領域は、上記第２選択画像表示領域と上記中央ペン種表示領域との間に配置されている。
【００１７】
他の形態では、上記中央ペン種表示領域において、上記第１入力手段により選択されたペン種が、上記第１ペン色表示領域に含まれるペン種として表示され、上記中央ペン色表示領域において、上記第２入力手段により選択されたペン種が、上記第２ペン色表示領域に含まれるペン種として表示される。
【発明の効果】
【００１８】
この発明によれば、より需要者（利用者）のらくがきに対する利便性の向上を図った画像編集装置を提供することを可能にする。
【図面の簡単な説明】
【００１９】
【図１】実施の形態１における写真プリント作成装置を示す第１斜視図である。
【図２】実施の形態１における写真プリント作成装置を示す第２斜視図である。
【図３】実施の形態１における写真プリント作成装置の機能ブロックを示す図である。
【図４】実施の形態１における写真プリント作成装置における作成方法の全体フローを示す図である。
【図５】関連技術における画像編集装置の操作モニタに表示される編集画面を示す図である。
【図６】関連技術における画像編集装置の操作モニタに映し出されるペンツール表示領域の画像を示す図である。
【図７】実施の形態１における画像編集装置の操作モニタに表示される編集画面を示す図である。
【図８】実施の形態１における画像編集装置の操作モニタに映し出されるペンツール表示領域の画像を示す図である。
【図９】実施の形態２における画像編集装置の操作モニタに映し出されるペンツール表示領域の画像を示す図である。
【図１０】実施の形態３における中央ペン色表示領域の配置を示す図である。
【図１１】実施の形態３における中央ペン色表示領域の他の配置を示す図である。
【図１２】（Ａ），（Ｂ），（Ｃ）は、中央ペン色表示領域のパレットの形状の一例を示す図である。
【図１３】実施の形態４における画像編集装置の操作モニタに表示される編集画面を示す図である。
【図１４】実施の形態５における画像編集装置の操作モニタに表示される編集画面を示す図である。
【図１５】ペン先の種類として「ノーマル」のイメージを示す図である。
【図１６】ペン先の種類として「半透明」のイメージを示す図である。
【図１７】ペン先の種類として「ボールペン」のイメージを示す図である。
【図１８】ペン先の種類として「ぼかし」のイメージを示す図である。
【図１９】ペン先の種類として「白ネオン」のイメージを示す図である。
【図２０】ペン先の種類として「黒ネオン」のイメージを示す図である。
【図２１】ペン先の種類として「水性ペン」のイメージを示す図である。
【図２２】ペン先の種類として「かすれ」のイメージを示す図である。
【図２３】ペン先の種類として「マーカー」のイメージを示す図である。
【図２４】ペン先の種類として「ほそフチ」のイメージを示す図である。
【図２５】ペン先の種類として「なかスケ」のイメージを示す図である。
【図２６】ペン先の種類として「ぬきカラー」のイメージを示す図である。
【図２７】ペン先の種類として「かげ」のイメージを示す図である。
【図２８】ペン先の種類として「色かげ」のイメージを示す図である。
【図２９】ペン先の種類として「ぬけ立体」のイメージを示す図である。
【図３０】ペン先の種類として「ちらばり」のイメージを示す図である。
【図３１】ペン先の種類として「２本線」のイメージを示す図である。
【図３２】ペン先の種類として「Ｇペン」のイメージを示す図である。
【発明を実施するための形態】
【００２０】
本発明に基づいた実施の形態における写真プリント作成装置、写真プリント作成方法、および、画像編集装置について、以下、図を参照しながら説明する。以下に説明する各実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。実施の形態および関連技術における構成を適宜組み合わせて用いることは当初から予定されていることである。
【００２１】
（実施の形態１：写真プリント作成装置１）
図１および図２を参照して、本実施の形態における写真プリント作成装置１の概略構成について説明する。図１は、本実施の形態における写真プリント作成装置１を示す第１斜視図（正面、右側面、平面）、図２は、本実施の形態における写真プリント作成装置１を示す第２斜視図（正面、左側面、平面）である。
【００２２】
この写真プリント作成装置（写真撮影ブース付きプリント自動販売機）１は、事前接客装置（シール自動販売機用事前利用者操作機）２０１、撮影装置（シール自動販売機用撮影機）３００、画像編集装置（写真シール自動販売機用画像編集加工印刷機）４００、および、事後接客装置（シール自動販売機用事後利用者操作機）５００を備える。
【００２３】
事前接客装置２０１は、コイン投入口２１０、操作モニタ２２０、および、スピーカ２３０を有する。撮影装置３００は、撮影用カメラ３１０、操作モニタ３２０、および、照明器具３３０、３４０を有する。画像編集装置４００は、操作モニタ４１０およびタッチペン４２０Ｌ，４２０Ｒを有する。事後接客装置５００は、操作モニタ５１０および写真シール受取口５２０を有する。
【００２４】
（写真プリント作成装置１の機能ブロック）
図３を参照して、本実施の形態の写真プリント作成装置１の機能ブロックについて説明する。図３は、写真プリント作成装置１の機能ブロックを示す図である。
【００２５】
写真プリント作成装置１は、写真プリント作成装置１の全体を制御するコンピュータ装置１００１と、動作中のコンピュータ装置１００１からの指示を受け付けて、接続されている各種装置を制御する制御基板１００２と、クロマキーキャプチャボード１０１７とを備える。これらは写真プリント作成装置１の制御装置１０００として機能する。制御装置１０００は撮影装置３００、または、画像編集装置４００に搭載されてもよい。
【００２６】
コンピュータ装置１００１は、ＣＰＵ（Ｃｅｎｔｒａｌ  Ｐｒｏｃｅｓｓｉｎｇ  Ｕｎｉｔ）１００３と、ＨＤＤ（Ｈａｒｄ  Ｄｉｓｋ  Ｄｒｉｖｅ）１００４と、メモリ１００５と、通信部１００６とを備える。ＣＰＵ１００３は、メモリ１００５に記憶されたプログラムを実行して、コンピュータ装置１００１を制御する。
【００２７】
制御プログラムは、コンピュータ装置１００１にインストールされることにより、ＨＤＤ１００４に格納される。メモリ１００５は、コンピュータ装置１００１のメインメモリであり、ＣＰＵ１００３により実行される制御プログラムの一時的な作業領域として用いられる。
【００２８】
本実施の形態では、ＣＰＵ１００３が制御プログラムを実行することにより、制御基板１００２が発光制御部１１００を介して、照明器具３３０、３４０の発光を制御する。
【００２９】
ＨＤＤ１００４は、写真プリント作成装置１に所定の処理を実行させるための制御プログラム、処理に必要なグラフィックデー夕、音声デー夕、生成された合成画像を示す合成画像デー夕、予め用意された複数のフレーム画像、複数のスタンプ画像等の各種画像デー夕、予め用意された複数の背景画像を示す背景画像データ、予め用意された複数のシートデザインを示すシートデザイン画像等を記憶する。
【００３０】
通信部１００６は、インターネット等のネットワークを介して図示しないサーバと通信する。
【００３１】
コンピュータ装置１００１は、事前接客装置２０１での事前接客処理を実行する。コンピュータ装置１００１は、制御プログラムを実行し、デモ映像、名前入力画面などを受付用の操作モニタ（受付用ディスプレイ）２２０に表示する。
【００３２】
スピーカ２３０は、コンピュータ装置１００１から与えられる指示信号に基づいて、案内音声、ＢＧＭなどを出力する。
【００３３】
コンピュータ装置１００１は、撮影装置３００での写真画像生成処理を実行する。コンピュータ装置１００１は、制御プログラムを実行し、必要に応じて操作モニタ（正面ディスプレイ）３２０を介して入力された利用者の操作に応じて、制御信号を制御基板１００２に送信する。
【００３４】
制御基板１００２は、撮影タイミングにおいて、発光制御部１１００により照明器具３３０、３４０を発光モードに応じて充電し発光させる。スピーカ（図示せず）は、コンピュータ装置１００１から与えられる指示信号に基づいて、撮影プレイのための操作方法などの案内、ＢＧＭなどを出力する。
【００３５】
クロマキーキャプチャボード１０１７は、撮影用カメラ３１０で撮影されている映像（被写体映像）を所定の時間間隔（たとえば３０フレーム／秒）でデジタルデータ（静止画像）として取り込む。クロマキーキャプチャボード１０１７は、取り込んだ静止画像の中からクロマキー技術により利用者（被写体）以外の領域を検知する。コンピュータ装置１００１は、利用者映像の顔部分に画像処理を施し、所定の画像サイズとなるように利用者映像をトリミングする。これにより、利用者を撮影した画像を用いた撮影画像が生成される。また、被写体以外の領域に選択された所望の背景画像を合成する。
【００３６】
コンピュータ装置１００１は、画像編集処理を実行する。コンピュータ装置１００１は制御プログラムを実行し、編集用の操作モニタ（編集用ディスプレイ）４１０、左側用タッチペン４２０Ｌ、および、右側用タッチペン４２０Ｒを用いた入力操作に応じて、制御信号を制御基板１００２に送信する。コンピュータ装置１００１は、操作モニタ４１０と接続され、それらを制御する。
【００３７】
操作モニタ４１０は、右側用タッチペン４２０Ｒ、および、左側用タッチペン４２０Ｌ等の接触を検知し、それに応じた指示信号をコンピュータ装置１００１に送信する、いわゆるタッチパネル方式である。操作モニタ４１０は、コンピュータ装置１００１から送信された編集画像を写真画像上に重ねて表示する。
【００３８】
スピーカ（図示省略）は、コンピュータ装置１００１から与えられる指示信号に基づいて、編集プレイのための操作方法などの案内、ＢＧＭなどを出力する。
【００３９】
コンピュータ装置１００１は、通信部１００６により、インターネット等のネットワークを介して図示しないサーバと通信する。写真プリント作成装置１で生成された画像を利用者の携帯端末にサーバ経由で提供可能にする。これにより、利用者は携帯端末に写真画像、合成画像を取得できる。
【００４０】
コンピュータ装置１００１は、利用者の要求に応じて生成された合成画像および印刷画像を取得するのに必要なアクセス情報（たとえばＵＲＬ）を、非接触通信装置を介して利用者の携帯端末に送信してもよい。
【００４１】
コンピュータ装置１００１は、プリンタ６００と接続され、プリンタに対して印刷指示を送信し、印刷すべき印刷画像を送信する。プリンタは、印刷すべき印刷画像の受信を完了したとき、印刷指示に応じて印刷を開始する。
【００４２】
制御基板１００２は、コンピュータ装置１００１の他に、蛍光灯、コイン制御部、およびサービスパネルに接続される。
【００４３】
（写真プリントの作成フロー）
図４を参照して、本実施の形態における写真プリント作成装置を用いた写真プリントの作成フローを説明する。図４は、本実施の形態における写真プリント作成装置１における作成方法の全体フローを示す図である。
【００４４】
写真プリント作成装置１は、プレイの開始時に事前接客装置２０１において事前接客処理として受付処理を行なう。受付処理では、写真画像の生成条件処理、背景選択処理が行なわれる（ステップＳ１０）。写真プリント作成装置１は、撮影装置３００において、利用者（プレイヤ）を被写体として複数回撮影し複数の撮影画像を生成する（ステップＳ２０）。撮影画像には、利用者の上半身が撮影された写真画像（アップ画像）、利用者の全身が撮影された写真画像（全身画像）が含まれ、いずれか一方、または、両方を撮影する。一例として、アップ画像を４回撮影し、全身画像を２回撮影する。なお、これらの回数は適宜変更され、アップ画像を３回撮影し、全身画像を３回撮影してもよい。
【００４５】
写真プリント作成装置１は、写真撮影後、画像編集装置４００において、撮影装置３００において利用者を撮影した撮影画像に、利用者が選択したフレーム画像、背景画像を合成し、その後、選択した明るさや目の大きさ等の画像処理を行ない処理画像を形成し、さらに、らくがき処理（ステップＳ３０）の受付処理を行なった後、処理画像に、画像編集装置４００で利用者が行なったらくがき処理で作成した「編集画像」を合成し、「合成画像」を生成する写真画像合成処理を行なう（ステップＳ４０）。
【００４６】
生成した合成画像を所定のレイアウトに配置した複数のレイアウトを利用者に提示してレイアウトの選択を受け付け（ステップＳ５０）、選択を受け付けたレイアウトにしたがって合成画像を配置して、シートデザイン画像に合成画像が組み込まれた印刷画像を生成する印刷画像処理を行なう（ステップＳ６０）。
【００４７】
なお、上記合成画像の中には、らくがき処理で作成した編集画像が合成されていない処理画像も含まれるものとする。以下の説明において用いる合成画像も同様である。
【００４８】
写真プリント作成装置１は、プリンタを用いて、写真プリント用紙に印刷画像を印刷し、その写真プリントを、事後接客装置５００の写真シール受取口５２０から排出する（ステップＳ７０）。さらに、写真プリント作成装置１は、サーバを介して合成画像を利用者の所有する端末に送信する。
【００４９】
ここで、写真プリント用紙に印刷する印刷画像としての合成画像を作成する場合、通常、利用者を撮影した複数の撮影画像に対して、撮影画像の後方にレイアウトされる背景画像、撮影画像の前方にレイアウトされるフレーム画像、撮影画像を元に明るさや目の大きさ、脚の長さ等の処理が施された処理画像が形成される。さらに、利用者によるらくがき等の編集画像が合成されて、合成画像（印刷画像）が作成される。なお、後述する各区画の周囲を取り囲むように設けられる装飾模様は、本実施の形態では、フレーム画像に設けられている。
【００５０】
また、本実施の形態では、撮影画像には、処理画像を含む撮影画像、および、処理画像を含まない撮影画像のいずれをも含むものとする。
【００５１】
なお、本実施の形態では、編集画像としては、背景画像、フレーム画像、スタンプ画像、および、ペン入力画像等の編集用画像で構成されるが撮影画像および処理画像以外に、他の画像を含む場合には、その画像も編集画像に含まれる。
【００５２】
さらに、編集画像の中でも、そのまま合成する画像と、合成しない画像とが存在してもよい。たとえば、利用者の顔などに装飾する画像（リップやチークなどのメイクツール、メガネやヒゲなどの変装ツール）はそのまま合成し、背景画像やフレーム画像は、合成しない処理を行なってもよい。
【００５３】
したがって、本実施の形態においては、背景画像、フレーム画像、スタンプ画像、およびペン入力画像等の編集用画像の少なくとも１つの画像を用いない場合や、少なくとも１つの画像が異なっている場合には、編集画像が異なっているといえる。
【００５４】
（画像編集装置４００：関連技術）
次に、図５および図６を参照して、画像編集装置４００による画像編集について説明する。図５は、関連技術における画像編集装置４００の操作モニタ４１０に表示される編集画面を示す図、図６は、関連技術における画像編集装置４００の操作モニタ４１０に映し出されるペンツール表示領域１０００Ｃの画像を示す図である。
【００５５】
図５に示すように、画像編集装置４００の操作モニタ４１０には、利用者を撮影した複数の撮影画像の中から選択された１の撮影画像が表示されるとともに、左側用タッチペン４２０Ｌを用いて利用者が編集画像を作成する左側画像表示領域１０００Ｌと、同様に利用者を撮影した複数の撮影画像の中から選択された１の撮影画像が表示されるとともに、右側用タッチペン４２０Ｒを用いて利用者が編集画像を作成する右側画像表示領域１０００Ｒとが表示されている。
【００５６】
左側画像表示領域１０００Ｌにおいて、中央部には、利用者を撮影した複数の撮影画像が表示される左側画像選択枠１２００Ｌから選択された１の撮影画像が表示される左側選択画像表示領域１１００Ｌが設けられている。図示では、左側選択画像表示領域１１００Ｌは円形であるが矩形であってもよい。
【００５７】
また、左側画像表示領域１０００Ｌは、左側選択画像表示領域１１００Ｌの下方領域に、複数の編集用素材を表示する左側編集用素材表示領域１３１０Ｌが設けられている。左側編集用素材表示領域１３１０Ｌの上部には、複数の編集用素材のカテゴリを選択するタグ領域１３００Ｌが設けられている。
【００５８】
同様に、右側画像表示領域１０００Ｒにおいて、中央部には、利用者を撮影した複数の撮影画像が表示される右側画像選択枠１２００Ｒから選択された１の撮影画像が表示される右側選択画像表示領域１１００Ｒが設けられている。図示では、右側選択画像表示領域１１００Ｒは円形であるが矩形であってもよい。
【００５９】
また、右側画像表示領域１０００Ｒは、右側選択画像表示領域１１００Ｒの下方領域に、複数の編集用素材を表示する右側編集用素材表示領域１３１０Ｒが設けられている。右側編集用素材表示領域１３１０Ｒの上部には、複数の編集用素材のカテゴリを選択するタグ領域１３００Ｒが設けられている。
【００６０】
さらに、左側画像表示領域１０００Ｌと右側画像表示領域１０００Ｒとの間には、左側用タッチペン４２０Ｌおよび右側用タッチペン４２０Ｒのいずれにも用いることが可能で、編集画像作成時において、左側用タッチペン４２０Ｌおよび右側用タッチペン４２０Ｒにより選択される複数の編集用素材を表示する中央編集用素材表示領域としてペンツール表示領域１０００Ｃが設けられている。
【００６１】
図６を参照して、ペンツール表示領域１０００Ｃには、ペン種表示領域１０１０として、ペン先の種類、および、ペン太さの種類が表示され、ペン色表示領域１０２０として、ペン色の種類が表示されている。また、ペン太さの種類、編集用素材の裏側に描画するか否かの「文字した」ボタンが表示されている。ここでは、ペン先の太さについては、左側ペン太さ選択表示領域１０１０Ｌおよび右側ペン太さ選択表示領域１０１０Ｒがそれぞれ設けられている。ペン太さは、上から「極太」、「太」、「中」、「細」、および「極細」の五段階の選択が用意されている。左側ペン太さ選択表示領域１０１０Ｌは左側用タッチペン４２０Ｌのみからの選択操作を受け付け、右側ペン太さ選択表示領域１０１０Ｒは右側用タッチペン４２０Ｒのみからの選択操作を受け付ける。
【００６２】
左側ペン太さ選択表示領域１０１０Ｌおよび右側ペン太さ選択表示領域１０１０Ｒの上方には、選択されたペン先の種類のサンプルが表示される左側サンプル表示領域１０１２Ｌおよび右側サンプル表示領域１０１２Ｒが設けられている。
【００６３】
ペン先の種類、および、ペン色の種類については、いずれも行列状に配列され、ペンパレット、および、カラーパレットを形成する。これらパレットは左右共通であり、左側用タッチペン４２０Ｌおよび右側用タッチペン４２０Ｒのいずれのタッチペンからの選択操作を受け付ける。
【００６４】
ペンパレットにおいては、ペン先の種類（編集用素材）として、「ノーマル」、「オシャレ」、「かすれ」、「ぼかし」、「マーカー」、「白ネオン」、「黒ネオン」、「水性」、「ボールペン」、「マジック」、「えんぴつ」、「グラデーション」、「ふちかけ」、「細ペン」、「水性」、「ボールペン」、「マジック」、および「えんぴつ」が予め用意されている。
【００６５】
図６に示す状態においては、左側用タッチペン４２０Ｌを用いて、利用者により、ペン太さとして「中」が選択され、選択表示として太枠で囲まれた表示がなされている。また、右側用タッチペン４２０Ｒを用いて、利用者により、ペン太さとして「極太」が選択され、選択表示として太枠で囲まれた表示がなされている。
【００６６】
また、ペンパレット１０１１においては、左側用タッチペン４２０Ｌを用いて、利用者により、「ノーマル」１０１１Ｌが選択され、選択表示として左向きの三角矢印と太枠で囲まれた表示がなされている。また、右側用タッチペン４２０Ｒを用いて、利用者は、「マジック」１０１１Ｒを選択し、選択表示として右向きの三角矢印と太枠で囲まれた表示がされている。
【００６７】
編集用素材として、ペン色の種類については、図面において色の表示が省略しているが、２６色のペン色のパレットを用意しており、左側用タッチペン４２０Ｌにより、利用者は、ペン色１０２０Ｌを選択し、図に示すように、選択表示として左向きの三角矢印と太枠で囲まれた表示がされており、右側用タッチペン４２０Ｒにより、利用者は、ペン色１０２０Ｒを選択し、図に示すように、選択表示として右向きの三角矢印と太枠で囲まれた表示がされている。
【００６８】
ここで、上述したように、ペン種表示領域１０１０中のペンパレット１０１１、および、ペン色表示領域１０２０については、共に左右の利用者に対して共通に使用可能とした場合には、ペン色を選択しても、ペン種表示領域１０１０中のペンパレット１０１１におけるアイコンの色味が変更されることはない。
【００６９】
そのため、ペンパレット１０１１で選択されたペン種に対するペン色がどのようになるのかがイメージし難く、実際に選択画像表示領域（描画領域）に対して描画してみないと分からない状態になり得ることが想定される。
【００７０】
さらに、ペンツール表示領域１０００Ｃでは、ペン色表示領域１０２０が双方の選択画像表示領域（描画領域）に近いところにまで位置していることから、相手に遠慮して、選択を躊躇したり、お互いに選択する際に、相手と手やタッチペンがぶつかるなどの課題が生じ得ることも想定される。そこで、以下にこれらの課題を解決する実施の形態について説明する。
【００７１】
（本実施の形態におけるペンツール表示領域２０００Ｃ）
次に、図７および図８を参照して、画像編集装置４００による画像編集について説明する。図７は、本実施の形態における画像編集装置４００の操作モニタ４１０に表示される編集画面を示す図、図８は、本実施の形態における画像編集装置４００の操作モニタ４１０に映し出されるペンツール表示領域２０００Ｃの画像を示す図である。
【００７２】
図７に示すように、画像編集装置４００の編集画面としての操作モニタ４１０には、利用者を撮影した複数の撮影画像の中から選択された１の撮影画像が表示されるとともに、第１入力手段としての左側用タッチペン４２０Ｌを用いて利用者が編集画像を作成する第１編集領域としての左側画像表示領域２０００Ｌと、同様に利用者を撮影した複数の撮影画像の中から選択された１の撮影画像が表示されるとともに、第２入力手段としての右側用タッチペン４２０Ｒを用いて利用者が編集画像を作成する第２編集領域としての右側画像表示領域２０００Ｒとが表示されている。
【００７３】
左側画像表示領域２０００Ｌにおいて、中央部には、利用者を撮影した複数の撮影画像が表示される左側画像選択枠２２００Ｌから選択された１の撮影画像が表示される第１選択画像表示領域としての左側選択画像表示領域２１００Ｌが設けられている。図示では、左側選択画像表示領域２１００Ｌは矩形であるが円形であってもよい。
【００７４】
また、左側画像表示領域２０００Ｌは、左側選択画像表示領域２１００Ｌの下方領域に、複数の編集用素材を表示する左側編集用素材表示領域２３１０Ｌが設けられている。左側編集用素材表示領域２３１０Ｌの上部には、複数の編集用素材のカテゴリを選択するタグ領域２３００Ｌが設けられている。
【００７５】
同様に、右側画像表示領域２０００Ｒにおいて、中央部には、利用者を撮影した複数の撮影画像が表示される右側画像選択枠２２００Ｒから選択された１の撮影画像が表示される第２選択画像表示領域としての右側選択画像表示領域２１００Ｒが設けられている。図示では、右側選択画像表示領域２１００Ｒは矩形であるが円形であってもよい。
【００７６】
また、右側画像表示領域２０００Ｒは、右側選択画像表示領域２１００Ｒの下方領域に、複数の編集用素材を表示する右側編集用素材表示領域２３１０Ｒが設けられている。右側編集用素材表示領域２３１０Ｒの上部には、複数の編集用素材のカテゴリを選択するタグ領域２３００Ｒが設けられている。
【００７７】
本実施の形態においては、第１選択画像表示領域としての左側画像表示領域２０００Ｌと第２選択画像表示領域としての右側画像表示領域２０００Ｒとの間に、ペンツール表示領域２０００Ｃが設けられている。
【００７８】
図８を参照して、このペンツール表示領域２０００Ｃについて詳細に説明する。左側画像表示領域２０００Ｌと右側画像表示領域２０００Ｒとの間には、左側用タッチペン４２０Ｌおよび右側用タッチペン４２０Ｒのいずれにも用いることが可能で、編集画像作成時において、左側用タッチペン４２０Ｌおよび右側用タッチペン４２０Ｒにより選択される、中央ペン描画種類表示領域の一例として、複数のペン色の種類を表示する中央ペン色表示領域２０２０が設けられている。
【００７９】
本実施の形態において、中央ペン色表示領域２０２０には、ペン色の種類については、図面において色の表示は省略しているが、２６色のペン色のパレットを用意している。具体的な色としては、「白」、「黄」、「ピンク１」、「山吹」、「ピンク２」、「橙」、「ピンク３」、「赤」、「ピンク４」、「紅」、「ピンク５」、「小豆」、「紫１」、「紫２」、「青１」、「青２」、「青３」、「紺」、「水」、「緑」、「肌」、「茶」、「灰」、「黒」、「マーブル１」、および、「マーブル２」が挙げられる。左側用タッチペン４２０Ｌにより、利用者が選択したパレットＳＥＣＬ２１には、選択表示として左向きの三角矢印と「左」の文字が表示される。また、右側用タッチペン４２０Ｒにより、利用者が選択したパレットＳＥＣＬ２２は、選択表示として右向きの三角矢印と「右」の文字が表示される。
【００８０】
左側選択画像表示領域２１００Ｌと中央ペン色表示領域２０２０との間には、左側用タッチペン４２０Ｌを用いた入力操作のみに用いられる左側ペン太さ選択表示領域２０１０Ｌ、左側ペン種表示領域２０１１Ｌ、および、左側サンプル表示領域２０１２Ｌが設けられている。これら、左側ペン太さ選択表示領域２０１０Ｌ、左側ペン種表示領域２０１１Ｌ、および、左側サンプル表示領域２０１２Ｌは、いずれも第１ペン描画種類表示領域の一例である。第１ペン描画種類表示領域としては、全てが表示されている必要はなく、少なくともいずれか一つが表示されればよい。また、上記の左側ペン太さ選択表示領域２０１０Ｌ、左側ペン種表示領域２０１１Ｌ、および、左側サンプル表示領域２０１２Ｌは、いずれも第１ペン描画種類表示領域としての一例であって、他のペン描画種類を表示するようにしてもよい。
【００８１】
左側ペン太さ選択表示領域２０１０Ｌには、ペン太さの選択アイコンが表示され、上から「極細」、「細」、「中」、「太」、および、「極太」の五段階の選択が用意されている。また、編集用素材の裏側に描画するか否かの「文字した」ボタンが表示されている。図８では、左側ペン太さ選択表示領域２０１０Ｌにおいては、「極細」および「文字した：ＯＦＦ」が選択され、選択表示として太枠で囲まれた表示がなされている。
【００８２】
左側ペン種表示領域２０１１Ｌには、ペン先の種類（編集用素材）として、「ノーマル」、「半透明」、「ボールペン」、「ぼかし」、「白ネオン」、「黒ネオン」、「水性ペン」、「かすれ」、「マーカー」、「ほそフチ」、「なかスケ」、「ぬきカラー」、「かげ」、「色かげ」、「ぬけ立体」、「ちらばり」、「二本棒」、および、「Ｇペン」が予め用意されている。図８においては、利用者により、ペン先の種類として、「Ｇペン」が選択され、選択表示として太枠で囲まれた表示がなされている。
【００８３】
また、同時に、中央ペン色表示領域２０２０においては、パレットＳＥＣＬ２１の色（橙）が選択されていることにより、左側ペン種表示領域２０１１Ｌに表示されるペン先の種類のすべてが、パレットＳＥＣＬ２１の色（橙）で表示される。
【００８４】
さらに、左側サンプル表示領域２０１２Ｌには、選択した「ペン太さ」、「ペン先の種類」、および、「ペン色」に基づいたサンプル文字が表示される。
【００８５】
同様に、右側選択画像表示領域２１００Ｒと中央ペン色表示領域２０２０との間には、右側用タッチペン４２０Ｒを用いた入力操作のみに用いられる右側ペン太さ選択表示領域２０１０Ｒ、右側ペン種表示領域２０１１Ｒ、および、右側サンプル表示領域２０１２Ｒが設けられている。これら、右側ペン太さ選択表示領域２０１０Ｒ、右側ペン種表示領域２０１１Ｒ、および、右側サンプル表示領域２０１２Ｒはいずれも第２ペン描画種類表示領域の一例である。第２ペン描画種類表示領域としては、全てが表示されている必要はなく、少なくともいずれか一つが表示されればよい。また、上記の右側ペン太さ選択表示領域２０１０Ｒ、右側ペン種表示領域２０１１Ｒ、および、右側サンプル表示領域２０１２Ｒは、いずれも第２ペン描画種類表示領域としての一例であって、他のペン描画種類を表示するようにしてもよい。
【００８６】
右側ペン太さ選択表示領域２０１０Ｒには、ペン太さの選択アイコンが表示され、上から「極細」、「細」、「中」、「太」、および、「極太」の五段階の選択が用意されている。また、編集用素材の裏側に描画するか否かの「文字した」ボタンが表示されている。図８では、右側ペン太さ選択表示領域２０１０Ｒにおいては、「細」および「文字した：ＯＦＦ」が選択され、選択表示として太枠で囲まれた表示がなされている。
【００８７】
右側ペン種表示領域２０１１Ｒには、ペン先の種類（編集用素材）として、「ノーマル」、「半透明」、「ボールペン」、「ぼかし」、「白ネオン」、「黒ネオン」、「水性ペン」、「かすれ」、「マーカー」、「ほそフチ」、「なかスケ」、「ぬきカラー」、「かげ」、「色かげ」、「ぬけ立体」、「ちらばり」、「二本棒」、および、「Ｇペン」が予め用意されている。図８においては、利用者により、ペン先の種類として、「ボールペン」が選択され、選択表示として太枠で囲まれた表示がなされている。
【００８８】
また、同時に、中央ペン色表示領域２０２０においては、パレットＳＥＣＬ２２の色（紅）が選択されていることにより、右側ペン種表示領域２０１１Ｒに表示されるペン先の種類のすべてが、パレットＳＥＣＬ２２の色（紅）で表示される。
【００８９】
さらに、右側サンプル表示領域２０１２Ｒには、選択した「ペン太さ」、「ペン先の種類」、および、「ペン色」に基づいたサンプル文字が表示される。
【００９０】
このように本実施の形態における画像編集装置４００の操作モニタ４１０においては、左右の利用者に対して中央ペン色表示領域２０２０を共通の使用とし、左側ペン太さ選択表示領域２０１０Ｌ、左側ペン種表示領域２０１１Ｌ、および、左側サンプル表示領域２０１２Ｌと、右側ペン太さ選択表示領域２０１０Ｒ、右側ペン種表示領域２０１１Ｒ、および、右側サンプル表示領域２０１２Ｒとのそれぞれにおいては、左右の利用者に対してそれぞれ提供するようにしている。
【００９１】
これにより、中央ペン色表示領域２０２０を共通の使用とすることで、操作モニタ４１０の表示領域を広く用いることができる。また、上記したように、それぞれのペン種表示領域に表示されるペン先の種類のすべてが、選択した色で表示されることから、利用者は容易に自己が選択した「ペン太さ」、「ペン先の種類」、および、「ペン色」に基づいたサンプル文字をイメージすることが可能となる。
【００９２】
さらに、各自の選択画像表示領域と中央ペン色表示領域２０２０との間には、各自のタッチペンを用いた入力操作のみに用いられるペン太さ選択表示領域、ペン種表示領域、および、サンプル表示領域が配置されていることから、隣の利用者に配慮することなく、自己に用意されたペン太さ選択表示領域、ペン種表示領域、および、サンプル表示領域を使用して編集作業を楽しむことができる。その結果、相手に遠慮して、選択を躊躇したり、お互いに選択する際に、相手と手やタッチペンがぶつかるなどの課題の発生を防止することができる。これにより、より需要者（利用者）のらくがきに対する利便性の向上を図った画像編集装置を提供することを可能とする。
【００９３】
（実施の形態２）
以下、図９を参照して、実施の形態２における画像編集装置の操作モニタについて説明する。図９は、本実施の形態における操作モニタに映し出されるペンツール表示領域２１００Ｃの画像を示す図である。
【００９４】
上述の実施の形態では、中央ペン色表示領域２０２０において、１３行２列にペン色のパレットを用意した場合を示しているが、この２６色および配置に限定されることはない。たとえば、図９に示すように、２６行１列にパレットを配置してもよい。
【００９５】
図８に示すようにパレットを２列に配置した場合には、利用者が無意識に左の列のパレットは左側専用、右の列のパレットは右側専用と決めつけ、種類が少ないと勘違いしてしまうことが想定される。そこで、図９に示すように、パレットを１列に配置することで、利用者の勘違いの発生を防止することができる。
【００９６】
さらに、パレットを１列に配置する場合に各パレットが接続するように配置することで、利用者はタッチペンを操作モニタ４１０の表面に接触させた状態のまま上下にスライド移動させ、タッチペンを操作モニタ４１０から離した位置でパレットの選択が可能となり、操作の利便性を向上させることもできる。
【００９７】
また、左側ペン種表示領域２０１１Ｌの上に左側サンプル表示領域２０１２Ｌを表示し、左側ペン種表示領域２０１１Ｌの下に左側ペン太さ選択表示領域２０１０Ｌを表示してもよい。同様に、右側ペン種表示領域２０１１Ｒの上に右側サンプル表示領域２０１２Ｒを表示し、右側ペン種表示領域２０１１Ｒの下に右側ペン太さ選択表示領域２０１０Ｒを表示してもよい。
【００９８】
（実施の形態３）
次に、図１０から図１２を参照して、実施の形態３における中央ペン色表示領域の配置について説明する。図１０および図１１は、中央ペン色表示領域の配置を示す図、図１２（Ａ），（Ｂ），（Ｃ）は、中央ペン色表示領域のパレットの形状の一例を示す図である。
【００９９】
図１０に示すように、中央ペン色表示領域２０２０において、８行３列にペン色のパレット（合計２４色）を用意してもよいし、図１１に示すように、各行毎にパレットの数量を３列（奇数列）と２列（偶数列）とを交互に配置した、ペン色のパレット（合計２８色）を用意してもよい。このように、ペン色のパレットの配置に奇数列を含ませることで、上述したように、パレットの配置に起因する利用者の勘違いの発生を防止することができる。
【０１００】
なお、図１２を参照して、ペン色のパレットの形状においては、図８から図１１に示した長方形形状に限定されることなく、（Ａ）に示す円形状、（Ｂ）に示す小判形状、および、（Ｃ）に示す六角形（多角形）であってもよく、パレットの形状も適宜選択されるものである。以下に示す実施の形態においても同様である。
【０１０１】
なお、上記実施の形態では、中央ペン色表示領域２０２０と左側選択画像表示領域２１００Ｌとの間に、第１編集用素材表示領域の一例として、左側ペン太さ選択表示領域２０１０Ｌ、左側ペン種表示領域２０１１Ｌ、および、左側サンプル表示領域２０１２Ｌを配置した場合について説明したが、第１編集用素材表示領域には、これら以外の編集用素材を表示してもよい。たとえば、他の編集用素材としては、サイズ選択、回転／反転選択、フォント(英字，ひらがな，カタカナ，大文字，小文字)の素材が挙げられる。
【０１０２】
同様に、中央ペン色表示領域２０２０と右側選択画像表示領域２１００Ｒとの間に、第２編集用素材表示領域の一例として、右側ペン太さ選択表示領域２０１０Ｒ、右側ペン種表示領域２０１１Ｒ、および、右側サンプル表示領域２０１２Ｒを配置した場合について説明したが、第２編集用素材表示領域には、これら以外の編集用素材を表示してもよい。たとえば、他の編集用素材としては、サイズ選択、回転／反転選択、フォント(英字，ひらがな，カタカナ，大文字，小文字)の素材が挙げられる。
【０１０３】
（実施の形態４）
以下、図１３を参照して、実施の形態４における画像編集装置の操作モニタについて説明する。図１３は、本実施の形態における操作モニタに映し出されるペンツール表示領域２２００Ｃの画像を示す図である。
【０１０４】
実施の形態１のペンツール表示領域２０００Ｃおよび実施の形態２のペンツール表示領域２１００Ｃにおいては、第１ペン描画種類表示領域の一例である左側ペン種表示領域２０１１Ｌは、第１選択画像表示領域としての左側選択画像表示領域２１００Ｌと中央ペン描画種類表示領域としての中央ペン色表示領域２０２０との間に配置され、また、第２ペン描画種類表示領域の一例である右側ペン種表示領域２０１１Ｒは、第２選択画像表示領域としての右側選択画像表示領域２１００Ｒと中央ペン描画種類表示領域としての中央ペン色表示領域２０２０との間に配置される構成を採用している。
【０１０５】
一方、本実施の形態では、中央ペン色表示領域２０２０は、左側選択画像表示領域２１００Ｌと右側選択画像表示領域２１００Ｒとの間に挟まれる位置であるものの、左側ペン種表示領域２０１１Ｌと右側ペン種表示領域２０１１Ｒとの下方位置に設けられている。
【０１０６】
このような配置であっても、実施の形態１および２におけるペンツール表示領域２０００Ｃ、２１００Ｃと同様の作用効果を得ることができる。
【０１０７】
（実施の形態５）
以下、図１４を参照して、実施の形態５における画像編集装置の操作モニタについて説明する。図１４は、本実施の形態における操作モニタに映し出されるペンツール表示領域２３００Ｃの画像を示す図である。
【０１０８】
図１４を参照して、このペンツール表示領域２３００Ｃについて詳細に説明する。左側選択画像表示領域２１００Ｌと右側選択画像表示領域２１００Ｒとの間には、左側用タッチペン４２０Ｌおよび右側用タッチペン４２０Ｒのいずれにも用いることが可能で、編集画像作成時において、左側用タッチペン４２０Ｌおよび右側用タッチペン４２０Ｒにより選択される、中央ペン描画種類表示領域の一例として、中央ペン種表示領域２０１１が設けられている。
【０１０９】
中央ペン種表示領域２０１１において、ペン先の種類（編集用素材）として、「ノーマル」、「半透明」、「ボールペン」、「ぼかし」、「白ネオン」、「黒ネオン」、「水性ペン」、「かすれ」、「マーカー」、「ほそフチ」、「なかスケ」、「ぬきカラー」、「かげ」、「色かげ」、「ぬけ立体」、「ちらばり」、「二本棒」、および、「Ｇペン」が予め用意されている。図１４においては、左側用タッチペン４２０Ｌにより、利用者が選択した「Ｇペン」のパレットＳＥＣＬＰ２１には、選択表示として左向きの三角矢印と「左」の文字が表示される。また、右側用タッチペン４２０Ｒにより、利用者が選択した「マーカー」のパレットＳＥＣＬ２２は、選択表示として右向きの三角矢印と「右」の文字が表示される。
【０１１０】
左側選択画像表示領域２１００Ｌと中央ペン種表示領域２０１１との間には、左側用タッチペン４２０Ｌを用いた入力操作のみに用いられる左側ペン太さ選択表示領域２０１０Ｌ、左側ペン色表示領域２０２０Ｌ、および、左側サンプル表示領域２０１２Ｌが設けられている。これら、左側ペン太さ選択表示領域２０１０Ｌ、左側ペン色表示領域２０２０Ｌ、および、左側サンプル表示領域２０１２Ｌは、いずれも第１ペン描画種類表示領域の一例である。第１ペン描画種類表示領域としては、全てが表示されている必要はなく、少なくともいずれか一つが表示されればよい。また、上記の左側ペン太さ選択表示領域２０１０Ｌ、左側ペン色表示領域２０２０Ｌ、および、左側サンプル表示領域２０１２Ｌはいずれも第１ペン描画種類表示領域としての一例であって、他のペン描画種類を表示するようにしてもよい。
【０１１１】
左側ペン太さ選択表示領域２０１０Ｌには、ペン太さの選択アイコンが表示され、上から「極細」、「細」、「中」、「太」、および、「極太」の五段階の選択が用意されている。また、編集用素材の裏側に描画するか否かの「文字した」ボタンが表示されている。図１４では、左側ペン太さ選択表示領域２０１０Ｌにおいては、「極細」および「文字した：ＯＦＦ」が選択され、選択表示として太枠で囲まれた表示がなされている。
【０１１２】
左側ペン色表示領域２０２０Ｌには、図８に示した中央ペン色表示領域２０２０と同様に、ペン色の種類については、図面において色の表示は省略しているが、２６色のペン色のパレットを用意している。具体的な色としては、「白」、「黄」、「ピンク１」、「山吹」、「ピンク２」、「橙」、「ピンク３」、「赤」、「ピンク４」、「紅」、「ピンク５」、「小豆」、「紫１」、「紫２」、「青１」、「青２」、「青３」、「紺」、「水」、「緑」、「肌」、「茶」、「灰」、「黒」、「マーブル１」、および、「マーブル２」が挙げられる。
【０１１３】
また、同時に、中央ペン種表示領域２０１１においては、「ノーマル」のパレットＳＥＣＬＰ２１が選択されていることから、左側ペン色表示領域２０２０Ｌにおいては、全ての色のパレットにおいて、「Ｇペン」のペン種が表示される。
【０１１４】
さらに、左側サンプル表示領域２０１２Ｌには、選択した「ペン太さ」、「ペン先の種類」、および、「ペン色」に基づいたサンプル文字が表示される。
【０１１５】
同様に、右側選択画像表示領域２１００Ｒと中央ペン種表示領域２０１１との間には、右側用タッチペン４２０Ｒを用いた入力操作のみに用いられる右側ペン太さ選択表示領域２０１０Ｒ、右側ペン色表示領域２０２０Ｒ、および、右側サンプル表示領域２０１２Ｒが設けられている。これら、右側ペン太さ選択表示領域２０１０Ｒ、右側ペン色表示領域２０２０Ｒ、および、右側サンプル表示領域２０１２Ｒは、いずれも第２ペン描画種類表示領域の一例である。第２ペン描画種類表示領域としては、全てが表示されている必要はなく、少なくともいずれか一つが表示されればよい。また、上記の右側ペン太さ選択表示領域２０１０Ｒ、右側ペン色表示領域２０２０Ｒ、および、右側サンプル表示領域２０１２Ｒは、いずれも第２ペン描画種類表示領域としての一例であって、他のペン描画種類を表示するようにしてもよい。
【０１１６】
右側ペン太さ選択表示領域２０１０Ｒには、ペン太さの選択アイコンが表示され、上から「極細」、「細」、「中」、「太」、および、「極太」の五段階の選択が用意されている。また、編集用素材の裏側に描画するか否かの「文字した」ボタンが表示されている。図１４では、右側ペン太さ選択表示領域２０１０Ｒにおいては、「細」および「文字した：ＯＦＦ」が選択され、選択表示として太枠で囲まれた表示がなされている。
【０１１７】
右側ペン色表示領域２０２０Ｒには、図８に示した中央ペン色表示領域２０２０と同様に、ペン色の種類については、図面において色の表示は省略しているが、２６色のペン色のパレットを用意している。具体的な色としては、「白」、「黄」、「ピンク１」、「山吹」、「ピンク２」、「橙」、「ピンク３」、「赤」、「ピンク４」、「紅」、「ピンク５」、「小豆」、「紫１」、「紫２」、「青１」、「青２」、「青３」、「紺」、「水」、「緑」、「肌」、「茶」、「灰」、「黒」、「マーブル１」、および、「マーブル２」が挙げられる。
【０１１８】
また、同時に、中央ペン種表示領域２０１１においては、「マーカー」のパレットＳＥＣＬＰ２１が選択されていることから、右側ペン色表示領域２０２０Ｒにおいては、全ての色のパレットにおいて、「マーカー」のペン種が表示される。
【０１１９】
さらに、右側サンプル表示領域２０１２Ｒには、選択した「ペン太さ」、「ペン先の種類」、および、「ペン色」に基づいたサンプル文字が表示される。
【０１２０】
以上、本実施の形態における画像編集装置４００の操作モニタ４１０においても、左右の利用者に対して中央ペン種表示領域２０１１を共通の使用とし、左側ペン色表示領域２０２０Ｌ、左側ペン太さ選択表示領域２０１０Ｌ、および、左側サンプル表示領域２０１２Ｌと、右側ペン色表示領域２０２０Ｒ、右側ペン太さ選択表示領域２０１０Ｒ、および、右側サンプル表示領域２０１２Ｒと、のそれぞれにおいては、左右の利用者に対してそれぞれ提供するようにしている。
【０１２１】
これにより、中央ペン種表示領域２０１１を共通の使用とすることで、操作モニタ４１０の表示領域を広く用いることができる。また、上記したように、それぞれのペン色表示領域に表示されるペン色の種類のすべてが、選択したペン先の種類で表示されることから、利用者は容易に自己が選択した「ペン太さ」、「ペン先の種類」、および、「ペン色」に基づいたサンプル文字をイメージすることが可能となる。
【０１２２】
さらに、各自の選択画像表示領域と中央ペン種表示領域２０１１との間には、各自のタッチペンを用いた入力操作のみに用いられるペン太さ選択表示領域、ペン色表示領域、および、サンプル表示領域が配置されていることから、隣の利用者に配慮することなく、自己に用意されたペン太さ選択表示領域、ペン色表示領域、および、サンプル表示領域を使用して編集作業を楽しむことができる。その結果、相手に遠慮して、選択を躊躇したり、お互いに選択する際に、相手と手やタッチペンがぶつかるなどの課題の発生を防止することができる。これにより、より需要者（利用者）のらくがきに対する利便性の向上を図った画像編集装置を提供することを可能とする。
【０１２３】
また、この図１４に示す実施の形態においても、図１３に示した、実施の形態３と同様に、中央ペン種表示領域２０１１を、左側ペン色表示領域２０２０Ｌ、および、右側ペン色表示領域２０２０Ｒの下方に配置するようにしてもよい。
【０１２４】
（ペン先の種類）
以下、図１５から図３２を参照して、上記各実施の形態におけるペン種表示領域に容易されるペン先の種類の具体的な描画機能について説明する。
【０１２５】
図１５に、ペン先の種類として「ノーマル」のイメージを図示する。文字線の幅、濃度は略一定であり、標準的な文字の印象を想起させる文字描画機能である。
【０１２６】
図１６に、ペン先の種類として「半透明」のイメージを図示する。文字線の幅は一定であるが、濃度は「ノーマル」に対して薄く、半透明の印象を想起させる文字描画機能である。
【０１２７】
図１７に、ペン先の種類として「ボールペン」のイメージを図示する。文字線の幅は一定であるが、濃度は「ノーマル」に対して濃く、力強い印象を想起させる文字描画機能である。
【０１２８】
図１８に、ペン先の種類として「ぼかし」のイメージを図示する。文字線の幅は一定であるが、濃度は場所によって異なり、ぼやかした印象を想起させる文字描画機能である。
【０１２９】
図１９に、ペン先の種類として「白ネオン」のイメージを図示する。文字線の幅は一定であるが、輪郭を外方に向かってぼやかすことで、内部の白部分を浮き上がらせた印象を想起させる文字描画機能である。
【０１３０】
図２０に、ペン先の種類として「黒ネオン」のイメージを図示する。文字線の幅は一定であるが、輪郭を外方に向かってぼやかすことで、内部の黒部分を浮き上がらせた印象を想起させる文字描画機能である。
【０１３１】
図２１に、ペン先の種類として「水性ペン」のイメージを図示する。文字線の幅は一定でなく、明暗を持たせることで、軽いタッチの印象を想起させる文字描画機能である。
【０１３２】
図２２に、ペン先の種類として「かすれ」のイメージを図示する。文字線の幅の狭い箇所および広い箇所を使い分けることで、文字にかすれた印象を想起させる文字描画機能である。
【０１３３】
図２３に、ペン先の種類として「マーカー」のイメージを図示する。文字線の幅は略一定であるが、輪郭を少し滲ませることで、インクが滲んだ印象を想起させる文字描画機能である。
【０１３４】
図２４に、ペン先の種類として「ほそフチ」のイメージを図示する。文字線の幅は略一定であるが、輪郭を濃い細線で縁取ることで、引き締まった印象を想起させる文字描画機能である。
【０１３５】
図２５に、ペン先の種類として「なかスケ」のイメージを図示する。文字線の幅は略一定であるが、輪郭を濃い細線で縁取り、中を薄くすることで、ポップな印象を想起させる文字描画機能である。
【０１３６】
図２６に、ペン先の種類として「ぬきカラー」のイメージを図示する。文字線の幅は略一定であるが、輪郭を細線で縁取り、中の色をずらして記載することで、文字の中身が抜けた印象を想起させる文字描画機能である。
【０１３７】
図２７に、ペン先の種類として「かげ」のイメージを図示する。文字線の幅は略一定であるが、輪郭の右側に影を設けることで、文字に立体感を持たせた印象を想起させる文字描画機能である。
【０１３８】
図２８に、ペン先の種類として「色かげ」のイメージを図示する。文字線の幅は略一定であるが、輪郭の右側に文字の色とは異なる色を用いた影を設けることで、文字に立体感を持たせた印象を想起させる文字描画機能である。
【０１３９】
図２９に、ペン先の種類として「ぬけ立体」のイメージを図示する。文字線に影を入れることで、文字に立体感を持たせた印象を想起させる文字描画機能である。
【０１４０】
図３０に、ペン先の種類として「ちらばり」のイメージを図示する。文字線の幅は不規則で、星模様等をちりばめることで、文字に躍動感を持たせた印象を想起させる文字描画機能である。
【０１４１】
図３１に、ペン先の種類として「２本線」のイメージを図示する。２本の文字線を用いて文字を記載することで、文字にアート感を持たせた印象を想起させる文字描画機能である。
【０１４２】
図３２に、ペン先の種類として「Ｇペン」のイメージを図示する。太い文字線を用いて文字を記載することで、粗野な感じと力強さの印象を想起させる文字描画機能である。
【０１４３】
以上、本発明の実施の形態における写真プリント作成装置、写真プリント作成方法、および、画像編集装置について説明したが、今回開示された実施の形態は全ての点で例示であって制限的なものではないと考えられるべきである。したがって、本発明の範囲は特許請求の範囲によって示され、特許請求の範囲と均等の意味および範囲内での全ての変更が含まれることが意図される。
【符号の説明】
【０１４４】
１  写真プリント作成装置、２０１  事前接客装置（シール自動販売機用事前利用者操作機）、２１０  コイン投入口、２２０  操作モニタ、２３０  スピーカ、３００  撮影装置（シール自動販売機用撮影機）、３１０  撮影用カメラ、３２０  操作モニタ、３３０，３４０  照明器具、４００  画像編集装置（写真シール自動販売機用画像編集加工印刷機）、４１０  操作モニタ、４２０Ｌ  左側用タッチペン、４２０Ｒ  右側用タッチペン、５００  事後接客装置（シール自動販売機用事後利用者操作機）、５１０  操作モニタ、５２０  写真シール受取口、６００  プリンタ、１０００  制御装置、１０００Ｃ，２０００Ｃ，２１００Ｃ，２２００Ｃ，２３００Ｃ  ペンツール表示領域、１０００Ｌ，２０００Ｌ  左側画像表示領域、１０００Ｒ，２０００Ｒ  右側画像表示領域、１００１  コンピュータ装置、１００２  制御基板、１００３  ＣＰＵ、１００４  ＨＤＤ、１００５  メモリ、１００６  通信部、１０１０，１０２０  ペン色表示領域、１０１１Ｌ  「ノーマル」、１０１１Ｒ  「マジック」、１０１２Ｌ  左側サンプル表示領域、１０１２Ｒ  右側サンプル表示領域、１０１７  クロマキーキャプチャボード、１０２０Ｌ，１０２０Ｒ  ペン色、１１００  発光制御部、１１００Ｌ，２１００Ｌ  左側選択画像表示領域、１１００Ｒ，２１００Ｒ  右側選択画像表示領域、１２００Ｌ，２２００Ｌ  左側画像選択枠、１２００Ｒ，２２００Ｒ  右側画像選択枠、１３１０Ｌ，２３１０Ｌ  左側編集用素材表示領域、１３１０Ｒ，２３１０Ｒ  右側編集用素材表示領域、１３００Ｌ，１３００Ｒ，２３００Ｌ，２３００Ｒ  タグ領域、２０１０Ｌ  左側ペン太さ選択表示領域、２０１０Ｒ  右側ペン太さ選択表示領域、２０１１  中央ペン種表示領域、２０１１Ｌ  左側ペン種表示領域、２０１１Ｒ  右側ペン種表示領域、２０１２Ｌ  左側サンプル表示領域、２０１２Ｒ  右側サンプル表示領域、２０２０  中央ペン色表示領域。
【図１】
2017026691.tif 000003
【図２】
2017026691.tif 000004
【図３】
2017026691.tif 000005
【図４】
2017026691.tif 000006
【図５】
2017026691.tif 000007
【図６】
2017026691.tif 000008
【図１０】
2017026691.tif 000009
【図１１】
2017026691.tif 000010
【図１２】
2017026691.tif 000011
【図７】
2017026691.tif 000012
【図８】
2017026691.tif 000013
【図９】
2017026691.tif 000014
【図１３】
2017026691.tif 000015
【図１４】
2017026691.tif 000016
【図１５】
2017026691.tif 000017
【図１６】
2017026691.tif 000018
【図１７】
2017026691.tif 000019
【図１８】
2017026691.tif 000020
【図１９】
2017026691.tif 000021
【図２０】
2017026691.tif 000022
【図２１】
2017026691.tif 000023
【図２２】
2017026691.tif 000024
【図２３】
2017026691.tif 000025
【図２４】
2017026691.tif 000026
【図２５】
2017026691.tif 000027
【図２６】
2017026691.tif 000028
【図２７】
2017026691.tif 000029
【図２８】
2017026691.tif 000030
【図２９】
2017026691.tif 000031
【図３０】
2017026691.tif 000032
【図３１】
2017026691.tif 000033
【図３２】
2017026691.tif 000034